(57)【要約】【課題】  切削液がクランプ手段の内部まで侵入しないようにする。【解決手段】  光ファイバ母材Ｗをクランプするクランプ手段９と、切削液Ｋを光ファイバ母材Ｗの切断部に吹き付ける吹き付け手段１５と、光ファイバ母材Ｗを切断する切断具１９と、前記クランプ手段９に切削液Ｋが侵入するのを阻止すべくクランプ手段９の切断側に設けられた切削液侵入阻止手段２１と、で構成されていることを特徴する。【選択図】図１
2006001810.tif 000002
【特許請求の範囲】
【請求項１】
光ファイバ母材をクランプ手段でクランプした状態で、切削液を光ファイバ母材の切断部に吹き付けながら切断具により光ファイバ母材を切断する際、前記クランプ手段の切断側に切削液侵入阻止手段を設けて光ファイバ母材を切断具により切断することを特徴する光ファイバ母材の切断方法。
【請求項２】
光ファイバ母材をクランプするクランプ手段と、切削液を光ファイバ母材の切断部に吹き付ける吹き付け手段と、光ファイバ母材を切断する切断具と、前記クランプ手段の切断側に切削液がクランプ手段に侵入するのを阻止すべく設けられた切削液侵入阻止手段と、で構成されていることを特徴する光ファイバ母材の切断装置。
【請求項３】
前記切削液侵入阻止手段がオイルシールであることを特徴する請求項２記載の光ファイバ母材の切断装置。
【発明の詳細な説明】
【技術分野】
【０００１】
この発明は、光ファイバ母材を切断する光ファイバ母材の切断方法およびその装置に関する。
【背景技術】
【０００２】
従来の光ファイバ母材を所定長さに切断する光ファイバ母材の切断方法は、光ファイバ母材をクランプ手段としての例えば３点式のスクロールチャックでクランプした状態で、光ファイバ母材と切断具としての例えば砥石とを回転させながら光ファイバ母材を砥石により切断を行っていた。この切断時には溶剤からなる切削液を突きつけ手段としての例えば切削液用ノスルで光ファイバ母材の切断部に吹き付けて切断を行っていた。
【特許文献１】特開平７−１０５８２号公報
【発明の開示】
【発明が解決しようとする課題】
【０００３】
ところで、上述した従来の光ファイバ母材の切断方法では、切断時に使用した溶剤からなる切削液が、切断時に光ファイバ母材の表面上に飛散し、そして、乾燥した切削液が固着し、水滴痕となる。乾燥した切削粉が流れてスクロールチャックの把持部に付着し、光ファイバ母材を搬入、搬出する際に光ファイバ母材の費用面に傷がついてしまうという問題があった。
【０００４】
また、切削液が光ファイバ母材の表面を伝わって前記スクロールチャックの内部まで浸透してしまい、切削液が乾燥すると固着してしまい、固着してしまった切削液を除去するのが大変難しく、また、大変時間がかかるという問題があった。
【０００５】
この発明は上述の課題を解決するためになされたものである。
【課題を解決するための手段】
【０００６】
上記課題を解決するための手段を達成するためにこの発明の光ファイバ母材の切断方法は、光ファイバ母材をクランプ手段でクランプした状態で、切削液を光ファイバ母材の切断部に吹き付けながら切断具により光ファイバ母材を切断する際、前記クランプ手段の切断側に切削液侵入阻止手段を設けて光ファイバ母材を切断具により切断することを特徴するものである。
【０００７】
この発明の光ファイバ母材の切断装置は、光ファイバ母材をクランプするクランプ手段と、切削液を光ファイバ母材の切断部に吹き付ける吹き付け手段と、光ファイバ母材を切断する切断具と、前記クランプ手段の切断側に切削液がクランプ手段に侵入するのを阻止すべく設けられた切削液侵入阻止手段と、で構成されていることを特徴するものである。
【０００８】
この発明の光ファイバ母材の切断装置は、前記光ファイバ母材の切断装置において、前記切削液侵入阻止手段がオイルシールであることが好ましい。
【発明の効果】
【０００９】
以上のごとき課題を解決するための手段の説明から理解されるように、この発明によれば、クランプ手段の切断側に切削液侵入阻止手段を設けたことにより、切削液がクランプ手段の内部まで侵入しないので、作業性の向上を図ることができる。
【００１０】
また、光ファイバ母材の表面に傷を付けてしまうことを解消することができるため、紡糸特性の向上を図ることができる。また、光ファイバ母材をクランプ手段で常に確実にクランプすることができ、良好な切断を行うことができる。
【発明を実施するための最良の形態】
【００１１】
以下、この発明の実施の形態について図面を参照して詳細に説明する。
【００１２】
図１、図２および図３を参照するに、光ファイバ母材の切断装置１は、箱形状のベッド３が備えられていて、このベッド３上には光ファイバ母材Ｗを載置する支持フレーム５が図２に示されているように、複数設けられている。この支持フレーム５上の前後には支持ローラ７が回転可能に設けられている。また、前記光ファイバ母材Ｗをクランプするクランプ手段としての例えば３点式のスクロールチャック９が設けられており、この３点式のスクロールチャック９の３爪１１で光ファイバ母材Ｗがクランプされる。しかも、スクロールチャック９が前記支持ローラ７上に載置されている。前記スクロールチャック９を例えば比較的遅い回転数をもってゆっくり回転される母材駆動モータ１３が前記ベッド３上に設けられている。
【００１３】
溶剤を含んだ切削液Ｋを光ファイバ母材Ｗの切断部に吹き付ける吹き付け手段としての例えば複数の切削液用ノズル１５を備えた切削液装置１７が上方に設けられている。さらに、光ファイバ母材Ｗを切断する切断具としての例えば砥石１９が回転可能に設けられている。
【００１４】
前記３点式のスクロールチャック９に切削液Ｋが侵入するのを阻止すべく３点式のスクロールチャック９の切断側に切削液侵入阻止手段としての例えばオイルシール２１が設けられている。このオイルシール２１は合成ゴム、金属環、スプリングの３つの部分で構成されている。そして、合成ゴムには例えばニトリゴム（ＮＢＲ）が使用され、機械的強度、耐圧縮永久歪性が優れている。
【００１５】
前記砥石１９の中心部には図３に示されているように、回転軸２３が設けられいると共にこの回転軸２３にはプーリ２５が装着されている。前記ベッド３上の図３において左右には軸受け２７、２９が設けられていると共にこの軸受け２７と軸受け２９には図３において左右方向へ延伸したボールねじ３１が回転自在に支持されている。このボールねじ３１にはナット部材３３が螺合されていると共にボールねじ３１の右端部には送り駆動モータ３５が連動連結されている。前記ナット部材３３上には前記砥石１９を図３において紙面に対して直交する方向へ移動せしめるための移動装置３７が設けられている。この移動装置３７上には前記回転軸２３を備えた従動部と砥石駆動モータ３９に連動連結された駆動軸４１が備えられている。そして、この駆動軸４１には駆動プーリ４３が装着されている。この駆動プーリ４３と前記プーリ２５とにはベルト４５が巻回されている。
【００１６】
上記構成により、光ファイバ母材Ｗをクランプ手段としての３点式のスクロールチャック９でクランプした状態で、切削液Ｋを光ファイバ母材Ｗの切断部に吹き付けながら切断具としての砥石９と光ファイバ母材Ｗとを矢印で示したごとく砥石駆動モータ３９、母材駆動モータ１３を駆動回転させることにより、互いに相反する方向に回転させながら光ファイバ母材Ｗが切断されることになる。そのとき、前記３点式のスクロールチャック９の切断側に切削液侵入阻止手段としてのゴムリング部材２１が設けられているので、切削液Ｋが３点式のスクロールチャック９の内部まで侵入しないので、切削液Ｋを３点式のスクロールチャック９の内部から除去する作業がなく、作業性の向上を図ることができる。
【００１７】
また、光ファイバ母材Ｗの表面に傷を付けてしまうことを解消することができるため、紡糸特性の向上を図ることができる。また、光ファイバ母材Ｗを３点式のスクロールチャック９で常に確実にクランプすることができ、良好な切断を行うことができる。
【００１８】
図４および図５には切削液Ｋが侵入するのを阻止すべく３点式のスクロールチャックの切断側に切削液侵入阻止手段としての例えばオイルシールが設けられた別の例が示されている。図４および図５において図１において同じ部品には同一の符号を付して重複する説明を省略する。
【００１９】
図４およびにおいて、３点式のスクロールチャック９にチヤック１１が例えば複数のボルト４７で取付けられている。前記チヤック１１の切断側には保護板４９が例えば複数のカムロックファスナー５１で取付けられている。前記保護板４９の前面側に切削液侵入阻止手段としてのオイルシール２１が設けられている。前記砥石１９の前側図４において左方にはスライドカバー５３が取り付けられている。
【００２０】
上記構成により、上述したと同様の操作および効果を得ることができる。
【図面の簡単な説明】
【００２１】
【図１】この発明の光ファイバ母材の切断装置の斜視図である。
【図２】光ファイバ母材の回転支持装置を示す簡略側面図である。
【図３】図１における側面図である。
【図４】切削液が侵入するのを阻止すべく３点式のスクロールチャックの切断側に切削液侵入阻止手段が設けられた別の例の正面図である。
【図５】図４における側面図である。
【符号の説明】
【００２２】
１  光ファイバ母材の切断装置
３  ベッド
５  支持フレーム
７  支持ローラ  
９  スクロークチャック（クランプ手段）
１１  ３つ爪
１３  母材駆動モータ
１５  切削液用ノズル（吹きつけ手段）
１７  切削液装置
１９  砥石（切断具）
２１  オイルシール（切削液侵入阻止手段）
２３  回転軸
２５  プーリ
２７、２９  軸受け
３１  ボールねじ
３３  ナット部材
３５  送り駆動モータ
３７  移動装置
３９  砥石駆動モータ
４１  駆動軸
４３  駆動プーリ
４５  ベルト
４９  保護板
５１  カムロックファスナー
５３  スライドカバー
Ｗ  光ファイバ母材
Ｋ  切削液
【図１】
2006001810.tif 000003
【図２】
2006001810.tif 000004
【図３】
2006001810.tif 000005
【図４】
2006001810.tif 000006
【図５】
2006001810.tif 000007